(57)【特許請求の範囲】
【請求項１】
連絡先同期化機能を提供する携帯端末機の連絡先管理方法であって、
全体連絡先リストがスクロール可能に表示される第１領域及び統合管理する連絡先リストが表示される第２領域を含む連絡先リスト編集画面を表示するステップと、
前記第１領域から選択された第１連絡先及び第２連絡先を第２領域の連絡先リストに登録するステップと、
前記第１連絡先は主連絡先（ｐｒｉｍａｒｙ  ｃｏｎｔａｃｔ）に指定され、前記第２連絡先は副連絡先（ｓｅｃｏｎｄａｒｙ  ｃｏｎｔａｃｔ）に指定され、前記第１領域の連絡先リストで主連絡先が維持されている間、前記第２連絡先を前記第１領域の連絡先リストから除去するステップと、
を含むことを特徴とする、携帯端末機の連絡先管理方法。
【請求項２】
新たな主連絡先に第２連絡先を指定して前記第２領域に表示された連絡先の主連絡先を変更し、以前の主連絡先を副連絡先に降格（ｒｅｌｅｇａｔｉｎｇ）するステップと、
前記新たな主連絡先を前記第１領域の連絡先リストに復元（ｒｅｓｔｏｒｉｎｇ）するステップと、
前記以前の主連絡先を前記第１領域の連絡先リストから削除するステップと、
をさらに含むことを特徴とする、請求項１に記載の携帯端末機の連絡先管理方法。
【請求項３】
前記連絡先同期化機能は多数のＳＮＳから受信された個別連絡先に対する連絡先情報を同期化することを特徴とする、請求項１に記載の携帯端末機の連絡先管理方法。
【請求項４】
前記第２領域に登録された少なくとも１つの選択された連絡先を削除するステップをさらに含むことを特徴とする、請求項１に記載の携帯端末機の連絡先管理方法。
【請求項５】
前記少なくとも１つの選択された連絡先を削除するステップは、
削除要請された連絡先を前記第２領域から削除し、前記削除された連絡先を前記第１領域の連絡先リストに復元するステップを含むことを特徴とする、請求項４に記載の携帯端末機の連絡先管理方法。
【請求項６】
連絡先表示モードで、主連絡先が選択された時、以前に登録された少なくとも１つの副連絡先を含む主連絡先の連絡先情報を表示するステップをさらに含むことを特徴とする、請求項１に記載の携帯端末機の連絡先管理方法。
【請求項７】
前記表示された連絡先情報は、
主連絡先が属した１つ以上のＳＮＳを表す情報をさらに含むことを特徴とする、請求項６に記載の携帯端末機の連絡先管理方法。
【請求項８】
連絡先同期化機能を提供する携帯端末機の連絡先管理装置であって、
全体連絡先リストがスクロール可能に表示される第１領域及び統合管理する連絡先リストが表示される第２領域を含む連絡先リスト編集画面を表示する表示部と、
前記第１領域から選択された第１連絡先及び第２連絡先を第２領域の連絡先リストに登録し、前記第１領域の連絡先リストで主連絡先の表示が維持される間、前記第１領域の連絡先リストから副連絡先を削除する制御部を含み、かつ、
前記第１連絡先は主連絡先に指定され、前記第２連絡先は副連絡先に指定されたことを特徴とする、携帯端末機の連絡先管理装置。
【請求項９】
前記制御部は、
前記第２連絡先を新たな主連絡先に指定し、以前の主連絡先を副連絡先に降格する前記第２領域に登録された連絡先リストで主連絡先変更を要請する命令入力時、
前記新たな主連絡先を前記第１領域に表示された連絡先リストに復元し、前記第１領域の連絡先リストから前記以前の主連絡先を削除することを特徴とする、請求項８に記載の携帯端末機の連絡先管理装置。
【請求項１０】
前記制御部は、
前記第２領域に登録された連絡先リストから連絡先を削除するための命令が入力される場合、
前記命令により削除された連絡先を前記第１領域の連絡先リストに復元することを特徴とする、請求項９に記載の携帯端末機の連絡先管理装置。
【請求項１１】
前記表示部は、
連絡先リスト表示モードで、前記主連絡先が選択された時、以前に登録された少なくとも１つの副連絡先を含む主連絡先の連絡先情報を表示することを特徴とする、請求項８に記載の携帯端末機の連絡先管理装置。
【請求項１２】
携帯端末機の表示部の上に情報を表示するための装置であって、
多数のアイテムをリストとして表示する第１領域、及び統合管理するアイテムが表示される第２領域を含む表示部を有しており、
前記表示部は前記多数の関連アイテムのうち、少なくとも第１選択されたアイテム及び第２選択されたアイテムを前記第２領域に表示し、前記第１選択されたアイテムは代表アイテムに指定され、前記第２選択されたアイテムは副アイテムに指定され、前記第１領域の前記リストで前記代表アイテムが維持されている間、前記副アイテムを前記第１領域の前記リストから除去することを特徴とする、携帯端末機の情報表示装置。
【請求項１３】
前記第１領域に表示されるアイテムは、
前記第２領域に表示されたアイテムの代表アイテムであることを特徴とする、請求項１２に記載の携帯端末機の情報表示装置。
【請求項１４】
前記代表アイテムは、
前記第２領域の最上位に位置するアイテムに自動設定されることを特徴とする、請求項１３に記載の携帯端末機の情報表示装置。
【請求項１５】
前記代表アイテムは、
前記第２領域に表示されたアイテムからユーザにより選択されたアイテムに変更されることを特徴とする、請求項１３に記載の携帯端末機の情報表示装置。
【発明の詳細な説明】
【技術分野】
【０００１】
本発明は携帯端末機及び無線通信に関し、特に携帯端末機の内の連絡先管理方法及び装置に関する。
【背景技術】
【０００２】
最近、情報通信技術と半導体技術などの目覚ましい発展に助けられて携帯端末機の普及と利用が急速に増加している。特に、最近の携帯端末機は各自の伝統的な固有領域に留まらず、他の端末機の領域まで合わせるモバイル融／複合（ｍｏｂｉｌｅ  ｃｏｎｖｅｒｇｅｎｃｅ）段階に至っている。代表的には、移動通信端末機の場合には音声通話やメッセージ送受信のような一般的な通信機能の他にも、ＴＶ視聴機能（例えば、ＤＭＢ（Ｄｉｇｉｔａｌ  Ｍｕｌｔｉｍｅｄｉａ  Ｂｒｏａｄｃａｓｔｉｎｇ）やＤＶＢ（Ｄｉｇｉｔａｌ  Ｖｉｄｅｏ  Ｂｒｏａｄｃａｓｔｉｎｇ）のような移動放送）、音楽再生機能（例えば、ＭＰ３（ＭＰＥＧ  Ａｕｄｉｏ  Ｌａｙｅｒ−３））、写真撮影機能、インターネット接続機能、及び連絡先格納機能など、多様な機能を提供している。
【０００３】
上記連絡先管理機能は、名前、別名、家電話番号、移動通信端末機の電話番号、Ｅメールアドレスなどのような各連絡先情報をユーザが手動で入力するようにする。最近の携帯端末機は、コンピュータまたはウェブサーバーに格納された連絡先を携帯端末機にダウンロードするか、携帯端末機に格納された連絡先をコンピュータまたはウェブサーバーにアップロードする連絡先同期化機能（Ｃｏｎｔａｃｔ  Ｌｉｓｔ  Ｓｙｎｃｈｒｏｎｉｚａｔｉｏｎ  Ｆｕｎｃｔｉｏｎ）を提供している。
一方、最近にはフェイスブック（登録商標、Ｆａｃｅ  ｂｏｏｋ）、ツイーター（登録商標、Ｔｗｉｔｔｅｒ）、グーグル（登録商標、Ｇｏｏｇｌｅ）などのようなＳＮＳ（Ｓｏｃｉａｌ  Ｎｅｔｗｏｒｋ  Ｓｅｒｖｉｃｅ）に対する関心が増加している。上記ＳＮＳは、連絡先管理及び上記連絡先同期化サービスを提供している。したがって、ユーザは上記ＳＮＳを提供するウェブサーバーに登録された連絡先を携帯端末機に転送することができる。即ち、上記携帯端末機はユーザによりフォンブックに入力された連絡先に追加して多数の連絡先を格納することができる。
【０００４】
しかしながら、上記携帯端末機が多数のソースから連絡先を受信する場合、他の連絡先は同一人物に対して受信できる。即ち、多数のウェブサーバーに登録された同一人物に対する連絡先情報が同一でない場合、上記の問題点が発生する。その上、ＳＮＳ友人リスト及びフォンブックリストは数百乃至数千個の連絡先を含むことは非正常的なことでない。このような場合、多数の連絡先はフォンブックから検索が困難であり、各連絡先を記憶し難い。即ち、前述した状況で従来の携帯端末機は連絡先リストを効率的に管理できないという問題点がある。
【発明の概要】
【発明が解決しようとする課題】
【０００５】
したがって、本発明は前述した従来技術の問題点を解決するために案出したものであって、本発明の目的は関連性のある多数の連絡先を１つの代表連絡先に統合し、連絡先リストに上記代表連絡先のみを表示して、連絡先リストを簡便にして、便宜性を向上させる携帯端末機の連絡先管理方法及び装置を提供することにある。
【０００６】
本発明の他の目的は、代表連絡先を容易に変更できる携帯端末機の連絡先管理方法及び装置を提供することにある。本発明の更に他の目的は、第１領域に多数のアイテムリストを表示し、上記多数のアイテムのうち、関連したアイテムに選択された第１アイテム及び第２アイテムを第２領域に表示し、上記第２アイテムを第１領域から除去して、アイテムリストを簡便化する携帯端末機の情報表示装置を提供することにある。
【課題を解決するための手段】
【０００７】
前述したような目的を達成するための本発明の好ましい実施形態に従う携帯端末機の連絡先管理方法は、連絡先同期化機能を提供する携帯端末機の連絡先管理方法において、連絡先統合機能の実行時、全体連絡先リストが表示される第１領域及び統合管理する連絡先が表示される第２領域を含む連絡先リスト編集画面を表示するステップ、上記第１領域から選択された少なくとも１つの連絡先リストを第２領域に登録するステップ、及び上記第２領域に登録された連絡先リストのうち、代表連絡先のみを上記第１領域に表示し、残りの連絡先リストを第１領域から除去するステップを含むことを特徴とする。
【０００８】
前述したような目的を達成するための本発明の好ましい実施形態に従う携帯端末機の連絡先管理装置は、連絡先同期化機能を提供する携帯端末機の連絡先管理装置において、連絡先統合機能の実行時、全体連絡先リストが表示される第１領域及び統合管理する連絡先が表示される第２領域を含む連絡先リスト編集画面を表示する表示部、及び上記第１領域から選択された少なくとも１つの連絡先リストを第２領域に表示し、上記第２領域に登録された連絡先リストのうち、代表連絡先のみを上記第１領域に表示し、残りの連絡先リストを上記第１領域から除去する制御部を含むことを特徴とする。
【０００９】
前述したような目的を達成するための本発明の好ましい実施形態に従う第１領域及び第２領域を含むアイテム表示装置は、関連性のある少なくとも１つのアイテムを表示する上記第２領域、及び上記第２領域に表示された少なくとも１つのアイテムのうち、いずれか１つを表示する上記第１領域を含むことを特徴とする。
好ましくは、本発明によれば、連絡先リストは簡便になる一方、主連絡先を選択することによって、連絡先リストビューモードで副連絡先情報を検索することができるので、主連絡先情報及び関連した副連絡先情報を全て検索することができる。
【発明の効果】
【００１０】
前述したように、本発明の実施形態に従う携帯端末機の連絡先管理方法及び装置は、関連性のある多数の連絡先に対して１つの代表連絡先に管理できるので、ユーザの便宜性を向上させることができる。
【図面の簡単な説明】
【００１１】
前述した本発明の特徴及び利点は、添付した図面と共に以下の詳細な説明から明白になる。以下、同一な識別符号は同一な構成または機能を示す。
【図１】本発明の実施形態に従う携帯端末機の構成を概略的に示すブロック図である。
【図２】本発明の実施形態に従う携帯端末機の連絡先管理方法を示す順序図である。
【図３】本発明の実施形態に従う携帯端末機の連絡先管理方法を説明するための画面例示図である。
【図４】本発明の実施形態に従う携帯端末機の連絡先管理方法を説明するための画面例示図である。
【図５】本発明の実施形態に従う携帯端末機の連絡先管理方法を説明するための画面例示図である。
【発明を実施するための形態】
【００１２】
以下、添付した図面を参照して本発明の好ましい実施形態を詳細に説明する。この際、添付した図面で同一な構成要素はできる限り同一な符号で表していることに留意しなければならない。また、本発明の要旨を曖昧にすることができる公知機能及び構成に対する詳細な説明は省略する。
一方、本明細書及び図面に開示された本発明の実施形態は、本発明の技術内容を易しく説明し、本発明の理解を助けるために特定例を提示したものであり、本発明の範囲を限定するものではない。ここに、開示された実施形態の以外にも本発明の技術的思想に基づいた他の変形例が実施可能であるということは、本発明が属する技術分野で通常の知識を有する者に自明なものである。
【００１３】
提案する本発明は、携帯端末機の表示部の上の２つの領域を通じて代表（ｒｅｐｒｅｓｅｎｔａｔｉｖｅ）または主（ｐｒｉｍａｒｙ）アイテム及び１つ以上の副（ｓｅｃｏｎｄａｒｙ）アイテムを含む関連アイテム（例えば、関連した連絡先）が管理できる。例えば、上記関連したアイテムは、いずれか１つの領域（例えば、後述する第２領域）に表示され、上記関連アイテムのうち、主アイテムのみ他の１つの領域（例えば、後述する第１領域）に表示される。この際、上記主アイテムは上記第２領域に表示された少なくとも１つのアイテムの代表アイテムに設定できる。上記第１領域から副アイテムの情報が削除されるため、第１領域は簡単になり、管理が容易になる。また、ユーザはユーザが容易に認識することができる主アイテムを参照して副アイテムに容易に接近することができる。以下、上記少なくとも１つのアイテムが連絡先である場合を例にして、本発明の特徴を詳細に説明する。しかしながら、本発明はこれに限定されず、多様なタイプのデータに適用できる。
【００１４】
詳細な説明の前に、本発明の実施形態に従う携帯端末機は多数のＳＮＳのような多様なソースから連絡先情報を得る連絡先同期化機能を有する端末機であって、移動通信端末機、スマートフォン（Ｓｍａｒｔ  ｐｈｏｎｅ）、タブレットＰＣ（Ｔａｂｌｅｔ  Ｐｅｒｓｏｎａｌ  Ｃｏｍｐｕｔｅｒ）、ＰＭＰ（Ｐｏｒｔａｂｌｅ  Ｍｕｌｔｉｍｅｄｉａ  Ｐｌａｙｅｒ）、ナビゲーション（Ｎａｖｉｇａｔｉｏｎ）端末機、個人情報端末機（ＰＤＡ）などになることができる。
【００１５】
図１は、本発明の実施形態に従う携帯端末機１００の構成を概略的に示す図である。
上記図１を参照すると、本発明の実施形態に従う携帯端末機１００は、制御部１１０、格納部１２０、表示部１３０、及び無線通信部１５０を含むことができる。
上記無線通信部１５０は、通話のための通信チャンネル及びデータ転送のための通信チャンネルなどを形成することができる。例えば、上記無線通信部１５０は基地局と音声通話チャンネル及び画像通話チャンネルを形成し、上記音声通話チャンネル及び画像通話チャンネルを介して音声信号及び画像信号を相手方端末機に転送したり、相手方端末機から音声信号及び画像信号を受信することができる。上記無線通信部１５０は、送信される信号を周波数上昇変換及び増幅する無線周波数送信部（図示せず）、受信される信号を低雑音増幅し、周波数下降変換する無線周波数受信部（図示せず）、及び受信信号と送信信号とを分離する送受信分離部（図示せず）などを含むことができる。特に、本発明に従う上記無線通信部１５０は、制御部１１０の制御下にウェブサーバー（図示せず）から連絡先情報を受信したり、格納部１２０に格納された連絡先情報をウェブサーバー（図示せず）に送信することができる。上記無線通信部１５０は、ＣＤＭＡ（Ｃｏｄｅ  Ｄｉｖｉｓｉｏｎ  Ｍｕｌｔｉｐｌｅ  Ａｃｃｅｓｓ）、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）などのような移動通信ネットワークを介してウェブサーバーと通信したり、ワイファイ（Ｗｉ−Ｆｉ）、ワイマックス（Ｗｉｍａｘ）、無線ＬＡＮ（Ｗｉｒｅｌｅｓｓ  ＬＡＮ）などのような近距離無線通信モジュールを通じて上記ウェブサーバーと通信を遂行することができる。または、上記無線通信部１５０は、ワイブロ（Ｗｉｂｒｏ）などのような携帯インターネット通信モジュールを通じて上記ウェブサーバーと通信を遂行することができる。
【００１６】
上記表示部１３０は、携帯端末機１００の各種メニューを初めとしてユーザが入力した情報またはユーザに提供する情報を表示する。例えば、表示部１３０は携帯端末機１００の利用に従う多様な画面、例えば、待機画面、メニュー画面、メッセージ作成画面、画像通話画面などを提供することができる。特に、本発明に従う表示部１３０は連絡先リスト管理のための連絡先リスト編集画面を表示することができる。上記編集画面は２つの領域を含む。上記２つの領域は全ての連絡先がスクロール可能に表示されるメーン連絡先リスト領域及び選択された関連連絡先が表示される他の領域を含む。上記連絡先リスト編集画面に対する詳細な説明は、後述する図３乃至図５の画面例示図を参照して詳細に説明する。このような表示部１３０は、液晶表示装置（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｅｄ  Ｄｉｏｄｅ）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｅｄ  Ｄｉｏｄｅ）などで形成できる。上記表示部１３０がタッチスクリーン形態に提供される場合、上記表示部１３０は入力機能を遂行することができる。
【００１７】
上記格納部１２０は、携帯端末機１００の運営体制（ＯＳ；Ｏｐｅｒａｔｉｎｇ  Ｓｙｓｔｅｍ）を初めとして、その他のオプション（ｏｐｔｉｏｎｓ）機能、例えば、音再生機能、イメージまたは動映像再生機能などに必要な応用プログラムを初めとして、ユーザデータ及び送受信されるデータなどを格納することができる。特に、本発明に従う格納部１２０は連絡先（Ｃｏｎｔａｃｔ  Ｌｉｓｔ）を格納することができる。上記連絡先リストは、連絡先名前により代表される項目または人（家族、友人、会社同僚等）の各連絡先に対する名前、移動通信電話番号、家電話番号、会社電話番号、Ｅメールアドレス、写真イメージなどを含むことができる。上記連絡先は多数のウェブサーバー（例えば、グーグル、ツイーター、フェイスブック等）からダウンロードした連絡先、コンピュータ（ＰＣ）からダウンロードした連絡先及び携帯端末機を通じてユーザが直接入力した連絡先を含むことができる。上記格納部１２０は、多数の連絡先を１つの代表連絡先に管理する連絡先管理プログラムを格納することができる。上記連絡先管理プログラムは、関連性のある多数の連絡先のうち、代表連絡先に設定された連絡先のみを連絡先リストの上に表示することができる。これに対する詳細な説明は後述する。
【００１８】
上記制御部１１０は、携帯端末機１００の全般的な動作及び携帯端末機１００の内部ブロックの間の信号流れを制御することができる。特に、本発明に従う制御部１１０は連絡先統合機能を制御することができる。上記連絡先統合機能は多数のウェブサーバー及びコンピュータに登録された連絡先とユーザが直接入力した連絡先を統合管理するための機能である。特に、上記連絡先統合機能は関連性のある多数の連絡先を１つの代表連絡先に管理するためのものであって、上記代表連絡先のみ連絡先リストに表示することができる。この際、上記制御部１１０はリストの表示のみを制御するだけであり、実際にはデートを削除しない。
【００１９】
上記連絡先統合管理機能が実行されれば、上記制御部１１０は連絡先リストを編集できる連絡先リスト編集画面を出力するように上記表示部１３０を制御することができる。上記連絡先統合管理機能（または、連絡先統合モード）は指定されたアイコン（図示せず）のタップ、音声命令などの多様な方法により実行できる。上記指定されたアイコンは連絡先リストビューメニュー、設定メニューなどの上段または下段に位置できる。
【００２０】
上記連絡先リスト編集画面は、ウェブサーバーまたはコンピュータとの同期化及びユーザ入力などを通じて端末機に格納された全ての連絡先リスト（Ｃｏｎｔａｃｔ  Ｌｉｓｔ）をスクロール可能に出力する第１領域及び１つの代表連絡先に統合管理しようとする選択された連絡先を表示する第２領域を含むことができる。上記第１領域から連絡先リストが選択（タッチまたはタップ）されれば、上記制御部１１０は選択された連絡先リストを上記第２領域に移動させることができる。上記制御部１１０は第２領域に２つ以上の連絡先が登録されれば、代表連絡先に設定された連絡先を除外した残りの連絡先を上記第１領域から除去する。例えば、上記制御部１１０は第１領域から副連絡先を除去する。
【００２１】
このように、本発明は第１領域の連絡先リストから副連絡先を除去することによって、連絡先リストのビュー及び利用を容易にする。その上、上記連絡先統合モードを終了し、ユーザが連絡先リストビューモードを実行した時、主連絡先は主連絡先だけでなく、上記主連絡先と関連した副連絡先に対する情報を得るために選択できる。これは特に、オリジナル連絡先リストが多い場合、例えば、数百乃至数千の連絡先が存在する場合に有用である。例えば、主連絡先は世帯（ｈｏｕｓｅｈｏｌｄ）の他のメンバーがメーン連絡先リスト（第１領域）に表示されない副連絡先に指定された間、世帯（ｈｏｕｓｅｈｏｌｄ）の代表（ｈｅａｄ）として選択できる。したがって、ユーザは世帯の代表を容易に認識することができ、主連絡先に指定された世帯の代表の名前を簡単にタップして、他の領域（ｆｉｅｌｄ）で上記世帯の副メンバーの情報を見ることができる。類似するように、他の主連絡先は事業所有主（ｂｕｓｉｎｅｓｓ  ｏｗｎｅｒ）に対して指定され、職員は上記事業所有主の副連絡先（関連連絡先）に指定できる。また、多数の連絡先が存在する場合、各連絡先が誰の連絡先なのか記憶し難い。このような場合、本発明の主連絡先及び副連絡先の指定はユーザを手助けすることができる。これは、ユーザが主連絡先を選択（主連絡先のタップ）することによって、主連絡先と副連絡先とを連結し、関連した副連絡先情報を得ることができるためである。
【００２２】
上記連絡先統合モードで、多数の連絡先が選択されれば、上記制御部１１０は選択された多数の連絡先のうち、始めに選択された連絡先を代表連絡先に設定することができる。または、上記制御部１１０は第２領域で含まれた多数の連絡先のうち、ユーザにより選択された連絡先を代表連絡先に設定することができる。
【００２３】
上記タッチ動作などを通じて第２領域で削除信号が入力されれば、上記制御部１１０は削除要請された連絡先を上記第２領域から上記第１領域に移動させることができる。即ち、上記制御部１１０は削除要請された連絡先を上記第２領域から除去し、上記第１領域に表示されるように制御することができる。また、上記制御部１１０は代表連絡先変更命令が入力されれば、ユーザにより選択された連絡先を代表連絡先に変更することができる。この際、上記制御部１１０は以前の代表連絡先を第１領域から削除し、新たな代表連絡先に設定された連絡先を第１領域に登録することができる。上記制御部１１０は連絡先リスト編集完了命令が入力されれば、編集された連絡先リストを格納部１２０に格納し、連絡先統合機能を終了することができる。
【００２４】
一方、上記図１に図示してはいないが、本発明に従う携帯端末機１００は、イメージまたは動映像撮影のためのカメラモジュール、近距離無線通信のための近距離通信モジュール、放送受信のための放送受信モジュール、及びＭＰ３モジュールのようなディジタル音源再生モジュールなどの付加機能を有する構成要素を選択的にさらに含むことができる。このような構成要素はディジタル機器のコンバージェンス（ｃｏｎｖｅｒｇｅｎｃｅ）趨勢によって変形が非常に多様であるので全て列挙することはできないが、本発明に従う携帯端末機１００は、前述した構成要素と同等な水準の構成要素をさらに含むことができる。
【００２５】
図２は本発明の実施形態に従う携帯端末機の連絡先管理方法を示す順序図であり、図３乃至図５は本発明の実施形態に従う携帯端末機の連絡先管理方法を説明するための画面例示図である。
上記図１乃至図５を参照すると、本発明の実施形態に従う制御部１１０は、ステップ２０１で連絡先統合機能の実行を感知することができる。上記連絡先統合機能は携帯端末機１００のメニューを通じて実行されるか、連絡先リストから特定連絡先を選択した後、サブメニューを通じて実行できる。
【００２６】
上記連絡先統合機能が実行されれば、上記制御部１１０は、ステップ２０３で連絡先リスト編集画面を出力するように表示部１３０を制御することができる。例えば、上記表示部１３０は上記図３の識別符号３１０の画面例示図に示すような連絡先リスト編集画面を出力することができる。上記連絡先リスト編集画面は、携帯端末機１００の格納部１２０に格納された全体連絡先リストを表示する第１領域１０、１つの代表連絡先に統合管理しようとする少なくとも１つの連絡先、即ち、関連性のある少なくとも１つの連絡先が表示される第２領域２０、リスト編集を完了するための完了（“Ｄｏｎｅ”）メニュー３１、及び以前ステップに復帰するための取消メニュー３２を含むことができる。上記第１領域１０及び第２領域２０に対して識別符号３２０の画面例示図を参照して説明すると、上記第１領域１０は、インデックス領域１１、リスト表示領域１２、及び連絡先検索のための検索メニュー領域１３を含むことができる。上記インデックス領域１１は所望の連絡先リストに容易に移動するためのものであって、特定アルファベットが選択（タッチまたはタップ）されれば、上記制御部１１０は選択されたアルファベットで始まる連絡先リストを上記リスト表示領域１２に出力することができる。上記リスト表示領域１２は、ウェブサーバーまたはコンピュータとの同期化、またはユーザ入力などを通じて携帯端末機１００に入力された全ての連絡先が表示される領域である。上記検索メニュー領域１３は、ユーザが入力した連絡先を検索する検索メニューが表示される領域である。上記インデックス領域１１及び検索メニュー領域１３は画面移動（スクロール）が不可能な固定領域に設定され、上記リスト表示領域１２は画面移動（スクロール）が可能な領域に設定できる。
【００２７】
上記第２領域２０は、関連性のある少なくとも１つの連絡先、例えばリスト表示領域１２から選択された連絡先に対する情報を表示することができる。上記第２領域２０に表示される情報は、選択された連絡先に対応する相手方の名前２１、上記連絡先のリンク情報を表すイメージ２２、代表連絡先に設定するための代表設定メニュー２３、及び第２領域２０から連絡先を除去するための削除アイコン２４を含むことができる。ここで、識別符号３３０の画面例示図を参照すると、上記第２領域は統合管理するために選択された、即ち、関連性のある連絡先“Ａｎ  Ｄａｎｉｅｌ”、連絡先“Ｂｒａｉｎ  Ｔｈｏｍａｓ  １”及び連絡先“Ｂｒａｉｎ  Ｈｕｇｈ  １”を表示しており、上記第１領域は上記第２領域に表示された関連性のある連絡先のうち、“Ａｎ  Ｄａｎｉｅｌ”のみを表示し、連絡先“Ｂｒａｉｎ  Ｔｈｏｍａｓ  １”及び連絡先“Ｂｒａｉｎ  Ｈｕｇｈ  １”は表れない。即ち、上記第１領域は連絡先“Ｂｒａｉｎ  Ｔｈｏｍａｓ  １”及び連絡先“Ｂｒａｉｎ  Ｈｕｇｈ  １”を除いて、格納部１２０に格納された全体連絡先リストが表示できる。また、ユーザは上記第２領域に表示された連絡先“Ａｎ  Ｄａｎｉｅｌ”、連絡先“Ｂｒａｉｎ  Ｔｈｏｍａｓ  １”、及び連絡先“Ｂｒａｉｎ  Ｈｕｇｈ”のうち、連絡先“Ａｎ  Ｄａｎｉｅｌ”が代表連絡先に設定され、連絡先“Ａｎ  Ｄａｎｉｅｌ”はユーザが携帯端末機１００に直接入力した連絡先であり、連絡先“Ｂｒａｉｎ  Ｔｈｏｍａｓ  １”はウェブサーバー（例えばグーグル、“ｇ”として表示される）からダウンロードした連絡先であり、連絡先“Ｂｒａｉｎ  Ｈｕｇｈ  １”は他のウェブサーバー（例えば、フェイスブック、“ｆ”として表示される）からダウンロードした連絡先であることが分かる。
【００２８】
上記制御部１１０は、ステップ２０５で第１領域１０から少なくとも１つの特定連絡先が選択されるかを確認することができる。上記第１領域１０から少なくとも１つの特定連絡先が選択されれば、上記制御部１１０はステップ２０７で上記選択された少なくとも１つの特定連絡先を第２領域２０に移動させて統合することができる。これを上記図３を参照してより詳細に説明すれば、上記識別符号３１０に示すように、連絡先“Ａｎ  Ｄａｎｉｅｌ”が選択された状態でユーザが他の連絡先“Ｂｒｉａｎ  Ｔｈｏｍａｓ  １”を選択（タッチまたはタップ）すれば、上記制御部１１０は識別符号３２０画面に示すように、選択された連絡先“Ｂｒｉａｎ  Ｔｈｏｍａｓ  １”を第２領域２０に移動させることができる。この際、上記制御部１１０はリスト表示領域１２から連絡先“Ｂｒｉａｎ  Ｔｈｏｍａｓ  １”を削除することができる。即ち、上記識別符号３２０の画面例示図を参照すると、上記識別符号３１０の画面例示図で出力されなかった連絡先“Ｂｒｉａｎ  Ｔｈｏｍａｓ  ２”が削除された連絡先“Ｂｒｉａｎ  Ｔｈｏｍａｓ  １”の位置に出力されたことが分かる。また、上記識別符号３２０の画面例示図のような状態でユーザが連絡先“Ｂｒｉａｎ  Ｈｕｇｈ  １”を追加選択すれば、上記制御部１１０は識別符号３３０の画面例示図のように、選択された連絡先“Ｂｒｉａｎ  Ｈｕｇｈ  １”を上記第２領域２０に移動させることができる。この際、上記制御部１１０は前述したように、リスト表示領域１２から連絡先“Ｂｒｉａｎ  Ｈｕｇｈ  １”を削除することができる。
【００２９】
前述したように、本発明は第１領域１０に表示された連絡先リストに統合しようとする連絡先を選択するステップを通じて、多数の連絡先を容易に統合することができる。例えば、上記識別符号３３０の画面例示図のように、ユーザは連絡先“Ａｎ  Ｄａｎｉｅｌ”、“Ｂｒｉａｎ  Ｔｈｏｍａｓ”、及び“Ｂｒｉａｎ  Ｈｕｇｈ  １”を代表連絡先“Ａｎ  Ｄａｎｉｅｌ”１つに管理することができる。
【００３０】
一方、上記ステップ２０５で特定連絡先が選択されないと、上記制御部１１０はステップ２０９で第２領域２０に表示された連絡先の削除を要請する削除命令が入力されるかを確認することができる。上記削除命令は、ユーザが削除メニュー２４をタッチ（タップ）する場合に発生する。上記削除命令が入力される場合、上記制御部１１０はステップ２１１で削除要請された連絡先を第２領域２０から第１領域１０のリスト表示領域１２に移動させることができる。例えば、上記識別符号３３０の画面例示図のような状態でユーザが第２領域２０の連絡先“Ｂｒｉａｎ  Ｈｕｇｈ  １”に対応する削除メニュー２４をタッチすれば、上記制御部１１０は第２領域２０から削除要請された連絡先“Ｂｒｉａｎ  Ｈｕｇｈ  １”を除去し、上記削除要請された連絡先“Ｂｒｉａｎ  Ｈｕｇｈ  １”を上記リスト表示領域１２に追加することができる。即ち、上記表示部１３０は上記識別符号３２０の画面例示図のような状態の画面を出力することができる。
【００３１】
一方、上記ステップ２０９で削除命令が入力されないと、上記制御部１１０はステップ２１３で代表連絡先を変更するための代表連絡先変更命令が入力されるかを確認することができる。上記ステップ２１３で代表連絡先変更命令が入力されないと、上記制御部１１０は後述するステップ２１７に進行することができる。一方、上記ステップ２１３で代表連絡先変更命令が入力されれば、上記制御部１１０はステップ２１５でユーザにより選択された連絡先を代表連絡先に変更することができる。これを上記図４を参照して説明すれば、識別符号４１０の画面例示図に示すように、連絡先“Ａｎ  Ｄａｎｉｅｌ”が代表連絡先に設定された状態で代表連絡先を変更するためにユーザが連絡先“Ｂｒｉａｎ  Ｈｕｇｈ  １”の代表設定メニュー２３をタッチすれば、上記制御部１１０は連絡先“Ｂｒｉａｎ  Ｈｕｇｈ  １”を代表連絡先に変更することができる。識別符号４２０の画面例示図を参照すると、代表連絡先に設定された連絡先“Ｂｒｉａｎ  Ｈｕｇｈ  １”が最上位位置に移動し、以前の代表連絡先である連絡先“Ａｎ  Ｄａｎｉｅｌ”が最下位位置に移動したことが分かる。また、上記第１領域１０のリスト表示領域１２を見ると、以前の代表連絡先である“Ａｎ  Ｄａｎｉｅｌ”が削除され、新たな代表連絡先である“Ｂｒｉａｎ  Ｈｕｇｈ  １”が追加されたことが分かる。
【００３２】
上記制御部１１０は、ステップ２１７で連絡先リスト編集完了命令が入力されるかを確認することができる。上記リスト編集完了命令は、上記図３及び図４に図示された完了メニュー３１を通じて入力できる。上記完了命令が入力されない場合、上記制御部１１０はステップ２０５に復帰して前述したステップを繰り返して遂行することができる。一方、上記完了命令が入力されれば、上記制御部１１０はステップ２１９で編集された連絡先リストを格納部１２０に格納し、上記連絡先統合機能を終了することができる。
【００３３】
上記連絡先統合機能の終了後、フォンブックメニューの連絡先ビューメニューを実行すれば、表示部１３０は上記図５のような連絡先リスト画面を表示することができる。上記連絡先リスト画面は、編集された連絡先リストを表示するリスト領域と上記リストから選択された連絡先に対する詳細情報を表示する詳細情報表示領域を含むことができる。上記編集された連絡先リストで、“Ａｎ  Ｄａｎｉｅｌ”のような主連絡先の名前はユーザが主連絡先に指定されたことを容易に認識できるようにするために、ハイライティング、アンダーライン、イタリック体などを通じて強調できる。
【００３４】
上記詳細情報表示領域で、上記詳細情報はリスト領域から選択された連絡先に対応するユーザイメージ、ユーザ名前、移動通信電話番号、家電話番号、会社電話番号、Ｅメールアドレス情報などを含むことができる。特に、上記詳細情報表示領域は、選択された連絡先が関連性のある多数の連絡先を代表する代表連絡先である場合、上記代表連絡先と関連した連絡先情報及び主連絡先と関連した副連絡先を“副連絡先”フィールドに表示することができる。例えば、“Ｂｒｉａｎ  Ｔｈｏｍａｓ  １”及び“Ｂｒｉａｎ  Ｈｕｇｈ  １”の名前は副連絡先フィールドにリストできる。これは、“Ｂｒｉａｎ  Ｔｈｏｍａｓ  １”及び“Ｂｒｉａｎ  Ｈｕｇｈ  １”が連絡先統合モードで“Ａｎ  Ｄａｎｉｅｌｓ”の副連絡先に以前に各々指定されたためである。“Ｂｒｉａｎ  Ｔｈｏｍａｓ  １”の横に表示されたアイコン“ｇ”は連絡先情報が“Ｇｏｏｇｌｅ(登録商標)  ＳＮＳ”から得られたものであり、“Ｇｏｏｇｌｅ(登録商標)  ＳＮＳ”のメンバーであることを表す。類似するように、上記“Ｂｒｉａｎ  Ｈｕｇｈ  １”の横に表示されたアイコン“ｆ”は連絡先情報が“Ｆａｃｅｂｏｏｋ(登録商標)”から得られたものであり、“Ｆａｃｅｂｏｏｋ(登録商標)”のメンバーであることを表す。
【００３５】
上記詳細情報表示領域は主連絡先が多数のＳＮＳのメンバーであるかを表す上記図５の“Ｊｏｉｎｔ  Ｃｏｎｔａｃｔ”項目に統合連絡先情報を表示することができる。上記“Ｊｏｉｎｔ  Ｃｏｎｔａｃｔ”項目のアイコンを通じてユーザは連絡先“Ａｎ  Ｄａｎｉｅｌ”がグーグルに登録された連絡先情報、フェイスブックに登録された連絡先情報、及びフォンブック（移動端末機を示すシンボル）に登録された連絡先情報と関連していることが分かる。この際、上記制御部１１０はグーグルに登録された連絡先情報、フェイスブックに登録された連絡先情報、及びフォンブックに登録された連絡先情報を比較して、同一な情報は上記詳細情報表示領域に一度だけ表示されるように制御することができる。例えば、上記制御部１１０はグーグル連絡先及びフェイスブック連絡先が同一なＥメールアドレスを含んでいる場合、“Ｅ−ｍａｉｌ”項目に１つのＥメールアドレスのみを表示することができる。
【００３６】
前述したような本発明の実施形態に従う携帯端末機の連絡先管理方法は、多様なコンピュータ手段を通じて遂行できるプログラム命令形態に具現されて、コンピュータにより読取可能な記録媒体に記録できる。この際、上記コンピュータにより読取可能な記録媒体は、プログラム命令、データファイル、データ構造などを単独に、または組み合わせて含むことができる。一方、記録媒体に記録されるプログラム命令は本発明のために特別に設計及び構成されたもの、または、コンピュータソフトウェア当業者に公知されて使用可能なものであることもある。
【００３７】
上記コンピュータにより読取可能な記録媒体には、ハードディスク、フロッピー(登録商標)ディスク、及び磁気テープのような磁気媒体（Ｍａｇｎｅｔｉｃ  Ｍｅｄｉａ）、ＣＤ−ＲＯＭ、ＤＶＤのような光記録媒体（Ｏｐｔｉｃａｌ  Ｍｅｄｉａ）、フロプティカルディスク（Ｆｌｏｐｔｉｃａｌ  Ｄｉｓｋ）のような磁気−光媒体（Ｍａｇｎｅｔｏ−Ｏｐｔｉｃａｌ  Ｍｅｄｉａ）、及びＲＯＭ、ＲＡＭ、フラッシュメモリ  などのようなプログラム命令を格納し、遂行するように特別に構成されたハードウェア装置が含まれる。また、プログラム命令にはコンパイラーにより作られるような機械語コードだけでなく、インタープリターなどを使用してコンピュータにより実行できる高級言語コードを含む。前述したハードウェア装置は本発明の動作を遂行するために１つ以上のソフトウェアモジュールとして作動するように構成できる。
【００３８】
以上、本発明の実施形態に従う携帯端末機の連絡先管理方法及び装置に対して本明細書及び図面を通じて好ましい実施形態に対して説明したものであり、たとえ特定用語が使われたが、これは単に本発明の技術内容を易しく説明し、発明の理解を助けるために一般的な意味として使われたものであり、本発明が前述した実施形態に限定されるものではない。即ち、本発明の技術的思想に基づいた多様な実施形態が可能であることは本発明が属する技術分野で通常の知識を有する者に自明なものである。
【図１】
0005863800.tif 000002
【図２】
0005863800.tif 000003
【図３】
0005863800.tif 000004
【図４】
0005863800.tif 000005
【図５】
0005863800.tif 000006